【手続補正書】
【提出日】平成18年3月27日(2006.3.27)
【手続補正１】
【補正対象書類名】明細書
【補正対象項目名】特許請求の範囲
【補正方法】変更
【補正の内容】
【特許請求の範囲】
【請求項１】  STLK2キナーゼポリペプチドをコードしている単離、濃縮、または精製された核酸分子であり、以下のようなヌクレオチド配列を含む、核酸分子：
(a)配列番号:5に示された完全なアミノ酸配列をコードし；
(b)(a)のヌクレオチド配列の全ての相補体であり； 
(c)キナーゼ活性を有する、配列番号:5に示されたアミノ酸配列の少なくとも40個の連続するアミノ酸をコードし；
(d)(c)のヌクレオチド配列の全ての相補体であり；
(e)配列番号:5のアミノ酸セグメント1-21もしくは275-416により定義される1つまたは複数のドメインを欠くこと以外は、配列番号:5に示されたアミノ酸配列を含むキナーゼ活性を有するポリペプチドをコードし；
(f)(e)のヌクレオチド配列の全ての相補体である。
【請求項２】  哺乳類から単離、濃縮、または精製された、請求項1記載の核酸分子。
【請求項３】  哺乳類がヒトである、請求項2記載の核酸分子。
【請求項４】  宿主細胞において転写を開始するために有効なベクターまたはプロモーターをさらに含む、請求項1〜3のいずれか一項記載の核酸分子。
【請求項５】  試料中のSTLK2キナーゼポリペプチドをコードしている核酸を検出するための核酸プローブであり、該プローブが、配列番号:5に示された完全なアミノ酸配列をコードしているか、またはキナーゼ活性を有する配列番号:5に示されたアミノ酸配列の少なくとも40個の連続するアミノ酸をコードしている核酸分子へ特異的にハイブリダイズする、核酸プローブ。
【請求項６】  配列番号:5に示された完全なアミノ酸配列を有するSTLK2キナーゼポリペプチドをコードしているか、またはキナーゼ活性を有する配列番号:5に示されたアミノ酸配列の少なくとも40個の連続するアミノ酸をコードしている核酸分子を含む、組換え細胞。
【請求項７】  配列番号:5に示されたアミノ酸配列、もしくはキナーゼ活性を有する配列番号:5に示された少なくとも40個の連続するアミノ酸を含むそれらの断片を有する、単離、濃縮、または精製されたSTLK2キナーゼポリペプチド。
【請求項８】  配列番号:5のアミノ酸セグメント1-21もしくは275-416により定義される1つまたは複数のドメインを欠くこと以外は配列番号:5に示されたアミノ酸配列を有し、かつキナーゼ活性を有する、単離、濃縮、または精製されたSTLK2キナーゼポリペプチド。
【請求項９】  哺乳類から単離、濃縮、または精製された、請求項7または8記載のキナーゼポリペプチド分子。
【請求項１０】  哺乳類がヒトである、請求項9記載のキナーゼポリペプチド分子。
【請求項１１】  配列番号:5に示された完全なアミノ酸配列を有するSTLK2キナーゼポリペプチド、キナーゼ活性を有する配列番号:5の少なくとも40個の連続するアミノ酸を含むか、または配列番号:5のアミノ酸セグメント1-21もしくは275-416により定義される1つまたは複数のドメインを欠くこと以外は配列番号:5に示されたアミノ酸配列を有するそれらの断片に対する特異的結合親和性を有する、抗体または抗体断片。
【請求項１２】  配列番号:5に示された完全なアミノ酸配列を有するSTLK2キナーゼポリペプチド、キナーゼ活性を有する配列番号:5の少なくとも40個の連続するアミノ酸を含むか、または配列番号:5のアミノ酸セグメント1-21もしくは275-416により定義される1つまたは複数のドメインを欠くこと以外は配列番号:5に示されたアミノ酸配列を有するそれらの断片に対する特異的結合親和性を有する抗体を作成する、ハイブリドーマ。
【請求項１３】  以下の工程を含む、キナーゼ活性を調節する物質を同定する方法：
(a)配列番号:5に示された完全なアミノ酸配列を有するSTLK2キナーゼポリペプチド、キナーゼ活性を有する配列番号:5の少なくとも40個の連続するアミノ酸を含むか、または配列番号:5のアミノ酸セグメント1-21もしくは275-416により定義される1つまたは複数のドメインを欠くこと以外は配列番号:5に示されたアミノ酸配列を有するそれらの断片を、被験物質と接触させる工程；
(b)該ポリペプチドの活性を測定する工程；および
(c)該物質が、該ポリペプチドの活性を調節するかどうかを決定する工程。
【請求項１４】  以下の工程を含む、キナーゼ活性を調節する物質を同定する方法：
(a)配列番号:5に示された完全なアミノ酸配列を有するSTLK2キナーゼポリペプチド、キナーゼ活性を有する配列番号:5の少なくとも40個の連続するアミノ酸を含むか、または配列番号:5のアミノ酸セグメント1-21もしくは275-416により定義される1つまたは複数のドメインを欠くこと以外は配列番号:5に示されたアミノ酸配列を有するそれらの断片を発現する工程 ； 
(b)被験物質を細胞に添加する工程；および
(c)細胞表現型の変化または該ポリペプチドと天然の結合パートナー間の相互作用をモニタリングする工程。
【請求項１５】  以下の工程を含む、疾患または障害の診断ツールとして試料中のSTLK2キナーゼポリペプチドを検出する方法：
(a)該試料を、50％ホルムアミド、5X SSC、50mM NaH2PO4、pH6.8、0.5％SDS、0.1mg/ml音波処理したサケ精子DNAおよび5Xデンハルト溶液中、42℃におけるハイブリダイゼーションと少なくとも同じストリンジェンシーでのハイブリダイゼーション；2X SSC、0.1％SDSによる45℃での一晩洗浄；ならびに、0.2X SSC、0.1％SDSによる45℃での洗浄という条件下で、STLK2キナーゼ核酸標的領域に特異的にハイブリダイズする核酸プローブと接触させる工程であり、
この標的領域は、配列番号:5に示された完全なアミノ酸配列をコードしているかもしくはそれらの全ヌクレオチドの相補体であるか、キナーゼ活性を有する配列番号:5に示されたアミノ酸配列の少なくとも40個の連続するアミノ酸をコードしているかもしくはそれらの全ヌクレオチドの相補体であるか、または配列番号:5のアミノ酸セグメント1-21もしくは275-416により定義される1つまたは複数のドメインを欠くこと以外は配列番号:5に示されたアミノ酸配列を含むキナーゼ活性を有するポリペプチドをコードしているかもしくはそれらの全ヌクレオチドの相補体である、工程；ならびに
(b)該疾患の指標として、プローブ:標的領域のハイブリッドの存在を検出する工程。
【請求項１６】  疾患または障害が、免疫関連疾患および障害、臓器移植、心筋梗塞、心血管疾患、卒中、腎不全、酸化的ストレス関連神経変性障害、および癌からなる群より選択される、請求項15記載の方法。
【請求項１７】  以下の工程を含む、疾患または障害の診断ツールとして試料中のSTLK2キナーゼポリペプチドを検出する方法：
(a)試料中の該STLK2キナーゼポリペプチドをコードしている核酸標的領域を、該STLK2キナーゼポリペプチドをコードしている対照核酸標的領域と比較する工程であり、該キナーゼポリペプチドは、配列番号:5に示されたアミノ酸配列、キナーゼ活性を有するそれらの少なくとも40個の連続するアミノ酸、または配列番号:5のアミノ酸セグメント1-21もしくは275-416により定義される1つまたは複数のドメインを欠くこと以外は配列番号:5に示されたアミノ酸配列を有する、工程：および
(b)該疾患または障害の指標として、該標的領域と該対照標的領域間のの配列または量の差異を検出する工程。
【請求項１８】  疾患または障害が、免疫関連疾患および障害、臓器移植、心筋梗塞、心血管疾患、卒中、腎不全、酸化的ストレス関連神経変性障害、および癌からなる群より選択される、請求項17記載の方法。
【請求項１９】  配列番号:5に示されたアミノ酸配列、キナーゼ活性を有するそれらの少なくとも40個の連続するアミノ酸、または配列番号:5のアミノ酸セグメント1-21もしくは275-416により定義される1つまたは複数のドメインを欠くこと以外は配列番号:5に示されたアミノ酸の配列を有する、STLK2キナーゼの活性を調節する物質を、そのような治療が必要な患者へ投与することによる、疾患または障害を治療する方法。
【請求項２０】  疾患または障害が、免疫関連疾患および障害、臓器移植、心筋梗塞、心血管疾患、卒中、腎不全、酸化的ストレス関連神経変性障害、および癌からなる群より選択される、請求項19記載の方法。
【請求項２１】  物質がインビトロでキナーゼ活性を調節する、請求項19または20記載の方法。
【請求項２２】  物質がキナーゼ阻害剤である、請求項21記載の方法。
【請求項２３】  STLK4キナーゼポリペプチドをコードしている単離、濃縮、または精製された核酸分子であり、以下のようなヌクレオチド配列を含む、核酸分子：
(a)配列番号:7に示された完全なアミノ酸配列をコードし；
(b)(a)のヌクレオチド配列の全ての相補体であり； 
(c)キナーゼ活性を有する、配列番号:7に示された少なくとも40個の連続するアミノ酸配列をコードし；
(d)(c)のヌクレオチド配列の全ての相補体であり；
(e)配列番号:7のアミノ酸セグメント179-414により定義される1つまたは複数のドメインを欠くこと以外は、配列番号:7に示されたアミノ酸配列を含むキナーゼ活性を有するポリペプチドをコードし；
(f)(e)のヌクレオチド配列の全ての相補体である。
【請求項２４】  哺乳類から単離、濃縮、または精製された、請求項23記載の核酸分子。
【請求項２５】  哺乳類がヒトである、請求項24記載の核酸分子。
【請求項２６】  宿主細胞において転写を開始するために有効なベクターまたはプロモーターをさらに含む、請求項23〜25のいずれか一項記載の核酸分子。
【請求項２７】  試料中のSTLK4キナーゼポリペプチドをコードしている核酸を検出するための核酸プローブであり、該プローブが、配列番号:7に示された完全なアミノ酸配列をコードしているか、またはキナーゼ活性を有する配列番号:7に示されたアミノ酸配列の少なくとも40個の連続するアミノ酸をコードしている核酸分子へ特異的にハイブリダイズする、核酸プローブ。
【請求項２８】  配列番号:7に示された完全なアミノ酸配列を有するSTLK4キナーゼポリペプチドをコードしているか、またはキナーゼ活性を有する配列番号:7に示されたアミノ酸配列の少なくとも40個の連続するアミノ酸をコードしている核酸分子を含む、組換え細胞。
【請求項２９】  配列番号:7に示されたアミノ酸配列、もしくはキナーゼ活性を有する配列番号:7に示された少なくとも40個の連続するアミノ酸を含むそれらの断片を有する、単離、濃縮、または精製されたSTLK4キナーゼポリペプチド。
【請求項３０】  配列番号:7のアミノ酸セグメント179-414により定義される1つまたは複数のドメインを欠くこと以外は配列番号:7に示されたアミノ酸配列を有し、かつキナーゼ活性を有する、単離、濃縮、または精製されたSTLK4キナーゼポリペプチド。
【請求項３１】  哺乳類から単離、濃縮、または精製される、請求項29または30記載のキナーゼポリペプチド分子。
【請求項３２】  哺乳類が、ヒトである、請求項31記載のキナーゼポリペプチド分子。
【請求項３３】  配列番号:7に示された完全なアミノ酸配列を有するSTLK4キナーゼポリペプチド、キナーゼ活性を有する配列番号:7の少なくとも40個の連続するアミノ酸を含む、または配列番号:7のアミノ酸セグメント179-414により定義される1つまたは複数のドメインを欠くこと以外は配列番号:7に示されたアミノ酸配列を有するそれらの断片に対する特異的結合親和性を有する、抗体または抗体断片。
【請求項３４】  配列番号:7に示された完全なアミノ酸配列を有するSTLK4キナーゼポリペプチド、またはキナーゼ活性を有する配列番号:7の少なくとも40個の連続するアミノ酸を含むか、もしくは配列番号:7のアミノ酸セグメント179-414により定義される1つまたは複数のドメインを欠くこと以外は配列番号:7に示されたアミノ酸配列を有するそれらの断片に対する特異的結合親和性を有する抗体を作成する、ハイブリドーマ。
【請求項３５】  以下の工程を含む、キナーゼ活性を調節する物質を同定する方法：
(a)配列番号:4に示された完全なアミノ酸配列を有するSTLK4キナーゼポリペプチド、キナーゼ活性を有する配列番号:7の少なくとも40個の連続するアミノ酸を含むか、または配列番号:7のアミノ酸セグメント179-414により定義される1つまたは複数のドメインを欠くこと以外は配列番号:7に示されたアミノ酸配列を有するそれらの断片を、被験物質と接触させる工程；
(b)該ポリペプチドの活性を測定する工程；および
(c)該物質が、該ポリペプチドの活性を調節するかどうかを決定する工程。
【請求項３６】  以下の工程を含む、キナーゼ活性を調節する物質を同定する方法：
(a)配列番号:7に示された完全なアミノ酸配列を有するSTLK4キナーゼポリペプチド、キナーゼ活性を有する配列番号:7の少なくとも40個の連続するアミノ酸を含むか、または配列番号:7のアミノ酸セグメント179-414により定義される1つまたは複数のドメインを欠くこと以外は配列番号:7に示されたアミノ酸配列を有するそれらの断片を発現する工程 ； 
(b)被験物質を細胞に添加する工程；および
(c)細胞表現型の変化または該ポリペプチドと天然の結合パートナー間の相互作用をモニタリングする工程。
【請求項３７】  以下の工程を含む、疾患または障害の診断ツールとして試料中のSTLK4キナーゼポリペプチドを検出する方法：
(a)該試料を、50％ホルムアミド、5X SSC、50mM NaH2PO4、pH6.8、0.5％SDS、0.1mg/ml音波処理したサケ精子DNAおよび5X デンハルト溶液中、42℃におけるハイブリダイゼーションと少なくとも同じストリンジェンシーでのハイブリダイゼーション；2X SSC、0.1％SDSによる45℃での一晩洗浄；ならびに、0.2X SSC、0.1％SDSによる45℃での洗浄という条件下で、STLK2キナーゼ核酸標的領域に特異的にハイブリダイズする核酸プローブと接触させる工程であり、
この領域は、配列番号:7に示された完全なアミノ酸配列をコードしているかもしくはそれらの全ヌクレオチドの相補体であるか、キナーゼ活性を有する配列番号:7に示されたアミノ酸配列の少なくとも40個の連続するアミノ酸をコードしているかもしくはそれらの全ヌクレオチドの相補体であるか、または配列番号:7のアミノ酸セグメント179-414により定義される1つまたは複数のドメインを欠くこと以外は配列番号:5に示されたアミノ酸配列を含むキナーゼ活性を有するポリペプチドをコードしているかもしくはそれらの全ヌクレオチドの相補体である、工程；ならびに
(b)該疾患の指標として、プローブ:標的領域のハイブリッドの存在を検出する工程。
【請求項３８】  疾患または障害が、免疫関連疾患および障害、臓器移植、心筋梗塞、心血管疾患、卒中、腎不全、酸化的ストレス関連神経変性障害、および癌からなる群より選択される、請求項37記載の方法。
【請求項３９】  以下の工程を含む、疾患または障害の診断ツールとして試料中のSTLK4キナーゼポリペプチドを検出する方法：
(a)試料中の該STLK4キナーゼポリペプチドをコードしている核酸標的領域を、該STLK4キナーゼポリペプチドをコードしている対照核酸標的領域と比較する工程であり、該キナーゼポリペプチドは、配列番号:7に示されたアミノ酸配列、キナーゼ活性を有するそれらの少なくとも40個の連続するアミノ酸、または配列番号:7のアミノ酸セグメント179-414により定義される1つまたは複数のドメインを欠くこと以外は配列番号:7に示されたアミノ酸配列を有する、工程：および
(b)該疾患または障害の指標として、該標的領域と該対照標的領域の間の配列または量の差異を検出する工程。
【請求項４０】  疾患または障害が、免疫関連疾患および障害、臓器移植、心筋梗塞、心血管疾患、卒中、腎不全、酸化的ストレス関連神経変性障害、および癌からなる群より選択される、請求項39記載の方法。
【請求項４１】  配列番号:7に示されたアミノ酸配列、キナーゼ活性を有するそれらの少なくとも40個の連続するアミノ酸、または配列番号:7のアミノ酸セグメント179-414により定義される1つまたは複数のドメインを欠くこと以外は配列番号:7に示されたアミノ酸の配列を有する、STLK4キナーゼの活性を調節する物質を、そのような治療が必要な患者へ投与することによる、疾患または障害を治療する方法。
【請求項４２】  疾患または障害が、免疫関連疾患および障害、臓器移植、心筋梗塞、心血管疾患、卒中、腎不全、酸化的ストレス関連神経変性障害、および癌からなる群より選択される、請求項41記載の方法。
【請求項４３】  物質がインビトロでキナーゼ活性を調節する、請求項41または42記載の方法。
【請求項４４】  物質がキナーゼ阻害剤である、請求項43記載の方法。
【請求項４５】  ZC1キナーゼポリペプチドをコードしている単離、濃縮、または精製された核酸分子であり、以下のようなヌクレオチド配列を含む、核酸分子：
(a)配列番号:13に示された完全なアミノ酸配列をコードし；
(b)(a)のヌクレオチド配列の全ての相補体であり； 
(c)キナーゼ活性を有する、配列番号:13に示されたアミノ酸配列の少なくとも250個の連続するアミノ酸をコードし；
(d)(c)のヌクレオチド配列の全ての相補体であり；
(e)配列番号:13のアミノ酸セグメント1-22、290-526、527-640、641-896もしくは897-1239により定義される1つまたは複数のドメインを欠くこと以外は、配列番号:13に示されたアミノ酸配列を含むキナーゼ活性を有するポリペプチドをコードし；
(f)(e)のヌクレオチド配列の全ての相補体である。
【請求項４６】  哺乳類から単離、濃縮、または精製された、請求項45記載の核酸分子。
【請求項４７】  哺乳類がヒトである、請求項46記載の核酸分子。
【請求項４８】  宿主細胞において転写を開始するために有効なベクターまたはプロモーターをさらに含む、請求項45〜47のいずれか一項記載の核酸分子。
【請求項４９】  試料中のZC1キナーゼポリペプチドをコードしている核酸を検出するための核酸プローブであり、該プローブが、配列番号:13に示された完全なアミノ酸配列をコードしているか、またはキナーゼ活性を有する配列番号:13に示されたアミノ酸配列の少なくとも250個の連続するアミノ酸をコードしている核酸分子へ特異的にハイブリダイズする、核酸プローブ。
【請求項５０】  配列番号:13に示された完全なアミノ酸配列を有するZC1キナーゼポリペプチドをコードしているか、またはキナーゼ活性を有する配列番号:13に示されたアミノ酸配列の少なくとも250個の連続するアミノ酸をコードしている核酸分子を含む、組換え細胞。
【請求項５１】  配列番号:13に示されたアミノ酸配列、もしくはキナーゼ活性を有する配列番号:13に示された少なくとも250個の連続するアミノ酸を含むそれらの断片を有する、単離、濃縮、または精製されたZC1キナーゼポリペプチド。
【請求項５２】  配列番号:13のアミノ酸セグメント1-22、290-526、527-640、641-896もしくは897-1239により定義される1つまたは複数のドメインを欠くこと以外は配列番号:13に示されたアミノ酸配列を有し、かつキナーゼ活性を有する、単離、濃縮、または精製されたZC1キナーゼポリペプチド。
【請求項５３】  哺乳類から単離、濃縮、または精製された、請求項51または52記載のキナーゼポリペプチド分子。
【請求項５４】  哺乳類が、ヒトである、請求項53記載のキナーゼポリペプチド分子。
【請求項５５】  配列番号:13に示された完全なアミノ酸配列を有するZC1キナーゼポリペプチド、またはキナーゼ活性を有する配列番号:13の少なくとも250個の連続するアミノ酸を含むか、もしくは配列番号:13のアミノ酸セグメント1-22、290-526、527-640、641-896もしくは897-1239により定義される1つまたは複数のドメインを欠くこと以外は配列番号:13に示されたアミノ酸配列を有するそれらの断片に対する特異的結合親和性を有する、抗体または抗体断片。
【請求項５６】  配列番号:13に示された完全なアミノ酸配列を有するZC1キナーゼポリペプチド、またはキナーゼ活性を有する配列番号:13の少なくとも250個の連続するアミノ酸を含むか、もしくは配列番号:13のアミノ酸セグメント1-22、290-526、527-640、641-896もしくは897-1239により定義される1つまたは複数のドメインを欠くこと以外は配列番号:13に示されたアミノ酸配列を有するそれらの断片に対する特異的結合親和性を有する抗体を作成する、ハイブリドーマ。
【請求項５７】  以下の工程を含む、キナーゼ活性を調節する物質を同定する方法：
(a)配列番号:13に示された完全なアミノ酸配列を有するZC1キナーゼポリペプチド、またはキナーゼ活性を有する配列番号:13の少なくとも250個の連続するアミノ酸を含むか、もしくは配列番号:13のアミノ酸セグメント1-22、290-526、527-640、641-896もしくは897-1239により定義される1つまたは複数のドメインを欠くこと以外は配列番号:13に示されたアミノ酸配列を有するそれらの断片を接触させる工程；
(b)該ポリペプチドの活性を測定する工程；および
(c)該物質が、該ポリペプチドの活性を調節するかどうかを決定する工程。
【請求項５８】  以下の工程を含む、キナーゼ活性を調節する物質を同定する方法：
(a)配列番号:13に示された完全なアミノ酸配列を有するZC1キナーゼポリペプチド、またはキナーゼ活性を有する配列番号:13の少なくとも250個の連続するアミノ酸を含むか、もしくは配列番号:13のアミノ酸セグメント1-22、290-526、527-640、641-896もしくは897-1239により定義される1つまたは複数のドメインを欠くこと以外は配列番号:13に示されたアミノ酸配列を有するそれらの断片を発現する工程；
(b)被験物質を細胞に添加する工程；および
(c)細胞表現型の変化または該ポリペプチドと天然の結合パートナー間の相互作用をモニタリングする工程。
【請求項５９】  以下の工程を含む、疾患または障害の診断ツールとして試料中のZC1キナーゼポリペプチドを検出する方法：
(a)該試料を、50％ホルムアミド、5X SSC、50mM NaH2PO4、pH6.8、0.5％SDS、0.1mg/ml音波処理したサケ精子DNAおよび5Xデンハルト溶液中、42℃におけるハイブリダイゼーションと少なくとも同じストリンジェンシーでのハイブリダイゼーション；2X SSC、0.1％SDSによる45℃での一晩洗浄；ならびに、0.2X SSC、0.1％SDSによる45℃での洗浄という条件下で、ZC1キナーゼ核酸標的領域に特異的にハイブリダイズする核酸プローブと接触させる工程であり、
この標的領域は、配列番号:13に示された完全なアミノ酸配列をコードしているかもしくはそれらの全ヌクレオチドの相補体であるか、キナーゼ活性を有する配列番号:13に示されたアミノ酸配列の少なくとも250個の連続するアミノ酸をコードしているかもしくはそれらの全ヌクレオチドの相補体であるか、または配列番号:13のアミノ酸セグメント1-22、290-526、527-640、641-896もしくは897-1239により定義される1つまたは複数のドメインを欠くこと以外は配列番号:13に示されたアミノ酸配列を含むキナーゼ活性を有するポリペプチドをコードしているかもしくはそれらの全ヌクレオチドの相補体である、工程；ならびに
(b)該疾患の指標として、プローブ:標的領域のハイブリッドの存在を検出する工程。
【請求項６０】  疾患または障害が、免疫関連疾患および障害、臓器移植、心筋梗塞、心血管疾患、卒中、腎不全、酸化的ストレス関連神経変性障害、および癌からなる群より選択される、請求項59記載の方法。
【請求項６１】  以下の工程を含む、疾患または障害の診断ツールとして試料中のZC1キナーゼポリペプチドを検出する方法：
(a)試料中の該ZC1キナーゼポリペプチドをコードしている核酸標的領域を、該ZC1キナーゼポリペプチドをコードしている対照核酸標的領域と比較する工程であり、該ZC1キナーゼポリペプチドは、配列番号:13に示されたアミノ酸配列、キナーゼ活性を有するそれらの少なくとも250個の連続するアミノ酸、または配列番号:13のアミノ酸セグメント1-22、290-526、527-640、641-896もしくは897-1239により定義される1つまたは複数のドメインを欠くこと以外は配列番号:13に示されたアミノ酸配列を有する、工程：および
(b)該疾患または障害の指標として、該標的領域と該対照標的領域の間の配列または量の差異を検出する工程。
【請求項６２】  疾患または障害が、免疫関連疾患および障害、臓器移植、心筋梗塞、心血管疾患、卒中、腎不全、酸化的ストレス関連神経変性障害、および癌からなる群より選択される、請求項61記載の方法。
【請求項６３】  配列番号:13に示されたアミノ酸配列、キナーゼ活性を有する配列番号:13の少なくとも250個の連続するアミノ酸、または配列番号:13のアミノ酸セグメント1-22、290-526、527-640、641-896もしくは897-1239により定義される1つまたは複数のドメインを欠くこと以外は配列番号:13に示されたアミノ酸の配列を有する、ZC1キナーゼの活性を調節する物質を、そのような治療が必要な患者へ投与することによる、疾患または障害を治療する方法。
【請求項６４】  疾患または障害が、免疫関連疾患および障害、臓器移植、心筋梗塞、心血管疾患、卒中、腎不全、酸化的ストレス関連神経変性障害、および癌からなる群より選択される、請求項63記載の方法。
【請求項６５】  物質がインビトロでキナーゼ活性を調節する、請求項63または64記載の方法。
【請求項６６】  物質がキナーゼ阻害剤である、請求項65記載の方法。
【請求項６７】  ZC2キナーゼポリペプチドをコードしている単離、濃縮、または精製された核酸分子であり、以下のようなヌクレオチド配列を含む、核酸分子：
(a)配列番号:14に示された完全なアミノ酸配列をコードし；
(b)(a)のヌクレオチド配列の全ての相補体であり； 
(c)配列番号:14のアミノ酸セグメント256-442、443-626、627-954もしくは955-1297により定義される1つまたは複数のドメインを欠くこと以外は、配列番号:14に示されたアミノ酸配列を含むキナーゼ活性を有するポリペプチドをコードし；
(d)(c)のヌクレオチド配列の全ての相補体である。
【請求項６８】  哺乳類から単離、濃縮、または精製された、請求項67記載の核酸分子。
【請求項６９】  哺乳類がヒトである、請求項68記載の核酸分子。
【請求項７０】  宿主細胞において転写を開始するために有効なベクターまたはプロモーターをさらに含む、請求項67〜69のいずれか一項記載の核酸分子。
【請求項７１】  試料中のZC2キナーゼポリペプチドをコードしている核酸を検出するための核酸プローブであり、該プローブが、配列番号:14に示された完全なアミノ酸配列をコードしている核酸分子へ特異的にハイブリダイズする、核酸プローブ。
【請求項７２】  配列番号:14に示された完全なアミノ酸配列を有するZC2キナーゼポリペプチドをコードしている核酸分子を含む、組換え細胞。
【請求項７３】  配列番号:14に示されたアミノ酸配列を有する、単離、濃縮、または精製されたZC2キナーゼポリペプチド。
【請求項７４】  配列番号:14のアミノ酸セグメント256-442、443-626、627-954もしくは955-1297により定義される1つまたは複数のドメインを欠くこと以外は配列番号:14に示されたアミノ酸配列を有し、かつキナーゼ活性を有する、単離、濃縮、または精製されたZC2キナーゼポリペプチド。
【請求項７５】  哺乳類から単離、濃縮、または精製された、請求項73または74記載のキナーゼポリペプチド分子。
【請求項７６】  哺乳類が、ヒトである、請求項75記載のキナーゼポリペプチド分子。
【請求項７７】  配列番号:14に示された完全なアミノ酸配列を有するか、または配列番号:14のアミノ酸セグメント256-442、443-626、627-954もしくは955-1297により定義される1つまたは複数のドメインを欠くこと以外は配列番号:14に示されたアミノ酸配列を有する、ZC2キナーゼポリペプチドに対する特異的結合親和性を有する、抗体または抗体断片。
【請求項７８】  配列番号:14に示された完全なアミノ酸配列を有するか、または配列番号:14のアミノ酸セグメント256-442、443-626、627-954もしくは955-1297により定義される1つまたは複数のドメインを欠くこと以外は配列番号:14に示されたアミノ酸配列を有する、ZC2キナーゼポリペプチドに対する特異的結合親和性を有する抗体を作成する、ハイブリドーマ。
【請求項７９】  以下の工程を含む、キナーゼ活性を調節する物質を同定する方法：
(a)配列番号:14に示された完全なアミノ酸配列、または配列番号:14のアミノ酸セグメント256-442、443-626、627-954もしくは955-1297により定義される1つまたは複数のドメインを欠くこと以外は配列番号:14に示されたアミノ酸配列を有するZC2キナーゼポリペプチドを、被験物質と接触させる工程；
(b)該ポリペプチドの活性を測定する工程；および
(c)該物質が、該ポリペプチドの活性を調節するかどうかを決定する工程。
【請求項８０】  以下の工程を含む、キナーゼ活性を調節する物質を同定する方法：
(a)配列番号:14に示された完全なアミノ酸配列、または配列番号:14のアミノ酸セグメント256-442、443-626、627-954もしくは955-1297により定義される1つまたは複数のドメインを欠くこと以外は配列番号:14に示されたアミノ酸配列を有するZC2キナーゼポリペプチドを発現する工程；
(b)被験物質を細胞に添加する工程；および
(c)細胞表現型の変化または該ポリペプチドと天然の結合パートナー間の相互作用をモニタリングする工程。
【請求項８１】  以下の工程を含む、疾患または障害の診断ツールとして試料中のZC2キナーゼポリペプチドを検出する方法：
(a)該試料を、50％ホルムアミド、5X SSC、50mM NaH2PO4、pH6.8、0.5％SDS、0.1mg/ml音波処理したサケ精子DNAおよび5Xデンハルト溶液中、42℃におけるハイブリダイゼーションと少なくとも同じストリンジェンシーでのハイブリダイゼーション；2X SSC、0.1％SDSによる45℃での一晩洗浄；ならびに、0.2X SSC、0.1％SDSによる45℃での洗浄という条件下で、ZC2キナーゼ核酸標的領域に特異的にハイブリダイズする核酸プローブと接触させる工程であり、
この標的領域は、配列番号:14に示された完全なアミノ酸配列をコードしているかもしくはそれらの全ヌクレオチドの相補体であるか、または配列番号:14のアミノ酸セグメント256-442、443-626、627-954もしくは955-1297により定義される1つまたは複数のドメインを欠くこと以外は配列番号:14に示されたアミノ酸配列を含むキナーゼ活性を有するポリペプチドをコードしているかもしくはそれらの全ヌクレオチドの相補体である、工程；ならびに
(b)該疾患の指標として、プローブ:標的領域のハイブリッドの存在を検出する工程。
【請求項８２】  疾患または障害が、免疫関連疾患および障害、臓器移植、心筋梗塞、心血管疾患、卒中、腎不全、酸化的ストレス関連神経変性障害、および癌からなる群より選択される、請求項81記載の方法。
【請求項８３】  以下の工程を含む、疾患または障害の診断ツールとして試料中のZC2キナーゼポリペプチドを検出する方法：
(a)試料中の該ZC2キナーゼポリペプチドをコードしている核酸標的領域を、該ZC2キナーゼポリペプチドをコードしている対照核酸標的領域と比較する工程であり、該ZC2キナーゼポリペプチドは、配列番号:14に示されたアミノ酸配列、または配列番号:14のアミノ酸セグメント256-442、443-626、627-954もしくは955-1297により定義される1つまたは複数のドメインを欠くこと以外は配列番号:14に示されたアミノ酸配列を有する、工程：および
(b)該疾患または障害の指標として、該標的領域と該対照標的領域の間の配列または量の差異を検出する工程。
【請求項８４】  疾患または障害が、免疫関連疾患および障害、臓器移植、心筋梗塞、心血管疾患、卒中、腎不全、酸化的ストレス関連神経変性障害、および癌からなる群より選択される、請求項83記載の方法。
【請求項８５】  配列番号:14に示されたアミノ酸配列、または配列番号:14のアミノ酸セグメント256-442、443-626、627-954もしくは955-1297により定義される1つまたは複数のドメインを欠くこと以外は配列番号:14に示されたアミノ酸の配列を有する、ZC2キナーゼの活性を調節する物質を、そのような治療が必要な患者へ投与することによる、疾患または障害を治療する方法。
【請求項８６】  疾患または障害が、免疫関連疾患および障害、臓器移植、心筋梗塞、心血管疾患、卒中、腎不全、酸化的ストレス関連神経変性障害、および癌からなる群より選択される、請求項85記載の方法。
【請求項８７】  物質がインビトロでキナーゼ活性を調節する、請求項85または86記載の方法。
【請求項８８】  物質がキナーゼ阻害剤である、請求項87記載の方法。
【請求項８９】  ZC3キナーゼポリペプチドをコードしている単離、濃縮、または精製された核酸分子であり、以下のようなヌクレオチド配列を含む、核酸分子：
(a)配列番号:15に示された完全なアミノ酸配列をコードし；
(b)(a)のヌクレオチド配列の全ての相補体であり； 
(c)キナーゼ活性を有する、配列番号:15に示されたアミノ酸配列の少なくとも250個の連続するアミノ酸をコードし；
(d)(c)のヌクレオチド配列の全ての相補体であり；
(e)配列番号:15のアミノ酸セグメント256-476、477-680、681-983もしくは984-1326により定義される1つまたは複数のドメインを欠くこと以外は、配列番号:15に示されたアミノ酸配列を含むキナーゼ活性を有するポリペプチドをコードし；
(f)(e)のヌクレオチド配列の全ての相補体である。
【請求項９０】  哺乳類から単離、濃縮、または精製された、請求項89記載の核酸分子。
【請求項９１】  哺乳類がヒトである、請求項90記載の核酸分子。
【請求項９２】  宿主細胞において転写を開始するために有効なベクターまたはプロモーターをさらに含む、請求項89〜91のいずれか一項記載の核酸分子。
【請求項９３】  試料中のZC3キナーゼポリペプチドをコードしている核酸を検出するための核酸プローブであり、該プローブが、配列番号:15に示された完全なアミノ酸配列をコードしているか、またはキナーゼ活性を有する配列番号:15に示されたアミノ酸配列の少なくとも250個の連続するアミノ酸をコードしている核酸分子へ特異的にハイブリダイズする、核酸プローブ。
【請求項９４】  配列番号:15に示された完全なアミノ酸配列を有するZC3キナーゼポリペプチドをコードしているか、またはキナーゼ活性を有する配列番号:15に示されたアミノ酸配列の少なくとも250個の連続するアミノ酸をコードしている核酸分子を含む、組換え細胞。
【請求項９５】  配列番号:15に示されたアミノ酸配列、もしくはキナーゼ活性を有する配列番号:15に示された少なくとも250個の連続するアミノ酸を含むそれらの断片を有する、単離、濃縮、または精製されたZC3キナーゼポリペプチド。
【請求項９６】  配列番号:15のアミノ酸セグメント256-476、477-680、681-983もしくは984-1326により定義される1つまたは複数のドメインを欠くこと以外は配列番号:15に示されたアミノ酸配列を有し、かつキナーゼ活性を有する、単離、濃縮、または精製されたZC3キナーゼポリペプチド。
【請求項９７】  哺乳類から単離、濃縮、または精製された、請求項95または96記載のキナーゼポリペプチド分子。
【請求項９８】  哺乳類が、ヒトである、請求項97記載のキナーゼポリペプチド分子。
【請求項９９】  配列番号:15に示された完全なアミノ酸配列を有するZC3キナーゼポリペプチド、またはキナーゼ活性を有する配列番号:15の少なくとも250個の連続するアミノ酸を含むか、もしくは配列番号:15のアミノ酸セグメント256-476、477-680、681-983もしくは984-1326により定義される1つまたは複数のドメインを欠くこと以外は配列番号:15に示されたアミノ酸配列を有するそれらの断片に対する特異的結合親和性を有する、抗体または抗体断片。
【請求項１００】  配列番号:15に示された完全なアミノ酸配列を有するZC3キナーゼポリペプチド、またはキナーゼ活性を有する配列番号:15の少なくとも250個の連続するアミノ酸を含むか、もしくは配列番号:15のアミノ酸セグメント256-476、477-680、681-983もしくは984-1326により定義される1つまたは複数のドメインを欠くこと以外は配列番号:15に示されたアミノ酸配列を有するそれらの断片に対する特異的結合親和性を有する抗体を作成する、ハイブリドーマ。
【請求項１０１】  以下の工程を含む、キナーゼ活性を調節する物質を同定する方法：
(a)配列番号:15に示された完全なアミノ酸配列を有するZC3キナーゼポリペプチド、またはキナーゼ活性を有する配列番号:15の少なくとも250個の連続するアミノ酸を含むか、もしくは配列番号:15のアミノ酸セグメント256-476、477-680、681-983もしくは984-1326により定義される1つまたは複数のドメインを欠くこと以外は配列番号:15に示されたアミノ酸配列を有するそれらの断片を、被験物質と接触させる工程；
(b)該ポリペプチドの活性を測定する工程；および
(c)該物質が、該ポリペプチドの活性を調節するかどうかを決定する工程。
【請求項１０２】  以下の工程を含む、キナーゼ活性を調節する物質を同定する方法：
(a)配列番号:15に示された完全なアミノ酸配列を有するZC3キナーゼポリペプチド、またはキナーゼ活性を有する配列番号:15の少なくとも250個の連続するアミノ酸を含むか、もしくは配列番号:15のアミノ酸セグメント256-476、477-680、681-983もしくは984-1326により定義される1つまたは複数のドメインを欠くこと以外は配列番号:15に示されたアミノ酸配列を有するそれらの断片を発現する工程；
(b)被験物質を細胞に添加する工程；および
(c)細胞表現型の変化または該ポリペプチドと天然の結合パートナー間の相互作用をモニタリングする工程。
【請求項１０３】  以下の工程を含む、疾患または障害の診断ツールとして試料中のZC3キナーゼポリペプチドを検出する方法：
(a)該試料を、50％ホルムアミド、5X SSC、50mM NaH2PO4、pH6.8、0.5％SDS、0.1mg/ml音波処理したサケ精子DNAおよび5Xデンハルト溶液中、42℃におけるハイブリダイゼーションと少なくとも同じストリンジェンシーでのハイブリダイゼーション；2X SSC、0.1％SDSによる45℃での一晩洗浄；ならびに、0.2X SSC、0.1％SDSによる45℃での洗浄という条件下で、ZC3キナーゼ核酸標的領域に特異的にハイブリダイズする核酸プローブと接触させる工程であり、
この標的領域は、配列番号:15に示された完全なアミノ酸配列をコードしているかもしくはそれらの全ヌクレオチドの相補体であるか、キナーゼ活性を有する配列番号:15に示されたアミノ酸配列の少なくとも250個の連続するアミノ酸をコードしているかもしくはそれらの全ヌクレオチドの相補体であるか、または配列番号:15のアミノ酸セグメント256-476、477-680、681-983もしくは984-1326により定義される1つまたは複数のドメインを欠くこと以外は配列番号:15に示されたアミノ酸配列を含むキナーゼ活性を有するポリペプチドをコードしているかもしくはそれらの全ヌクレオチドの相補体である、工程；ならびに
(b)該疾患の指標として、プローブ:標的領域のハイブリッドの存在を検出する工程。
【請求項１０４】  疾患または障害が、免疫関連疾患および障害、臓器移植、心筋梗塞、心血管疾患、卒中、腎不全、酸化的ストレス関連神経変性障害、および癌からなる群より選択される、請求項103記載の方法。
【請求項１０５】  以下の工程を含む、疾患または障害の診断ツールとして試料中のZC3キナーゼポリペプチドを検出する方法：
(a)試料中の該ZC3キナーゼポリペプチドをコードしている核酸標的領域を、該ZC3キナーゼポリペプチドをコードしている対照核酸標的領域と比較する工程であり、該ZC3キナーゼポリペプチドは、配列番号:15に示されたアミノ酸配列、キナーゼ活性を有するそれらの少なくとも250個の連続するアミノ酸、または配列番号:15のアミノ酸セグメント256-476、477-680、681-983もしくは984-1326により定義される1つまたは複数のドメインを欠くこと以外は配列番号:15に示されたアミノ酸配列を有する、工程：および
(b)該疾患または障害の指標として、該標的領域と該対照標的領域の間の配列または量の差異を検出する工程。
【請求項１０６】  疾患または障害が、免疫関連疾患および障害、臓器移植、心筋梗塞、心血管疾患、卒中、腎不全、酸化的ストレス関連神経変性障害、および癌からなる群より選択される、請求項105記載の方法。
【請求項１０７】  配列番号:15に示されたアミノ酸配列、キナーゼ活性を有する少なくとも25個のその連続するアミノ酸、または配列番号:15のアミノ酸セグメント256-476、477-680、681-983もしくは984-1326により定義される1つまたは複数のドメインを欠くこと以外は配列番号:15に示されたアミノ酸の配列を有する、ZC3キナーゼの活性を調節する物質を、そのような治療が必要な患者へ投与することによる、疾患または障害を治療する方法。
【請求項１０８】  疾患または障害が、免疫関連疾患および障害、臓器移植、心筋梗塞、心血管疾患、卒中、腎不全、酸化的ストレス関連神経変性障害、および癌からなる群より選択される、請求項107記載の方法。
【請求項１０９】  物質がインビトロでキナーゼ活性を調節する、請求項107または108記載の方法。
【請求項１１０】  物質がキナーゼ阻害剤である、請求項109記載の方法。
【請求項１１１】  KHS2キナーゼポリペプチドをコードしている単離、濃縮、または精製された核酸分子であり、以下のようなヌクレオチド配列を含む、核酸分子：
(a)配列番号:18に示された完全なアミノ酸配列をコードし；
(b)(a)のヌクレオチド配列の全ての相補体であり； 
(c)配列番号:18のアミノ酸セグメント274-346、347-534もしくは535-894により定義される1つまたは複数のドメインを欠くこと以外は、配列番号:18に示されたアミノ酸配列を含むキナーゼ活性を有するポリペプチドをコードし；
(d)(c)のヌクレオチド配列の全ての相補体である。
【請求項１１２】  哺乳類から単離、濃縮、または精製された、請求項111記載の核酸分子。
【請求項１１３】  哺乳類がヒトである、請求項112記載の核酸分子。
【請求項１１４】  宿主細胞において転写を開始するために有効なベクターまたはプロモーターをさらに含む、請求項111〜113のいずれか一項記載の核酸分子。
【請求項１１５】  試料中のKHS2キナーゼポリペプチドをコードしている核酸を検出するための核酸プローブであり、該プローブが、配列番号:18に示された完全なアミノ酸配列をコードしている核酸分子へ特異的にハイブリダイズする、核酸プローブ。
【請求項１１６】  配列番号:18に示された完全なアミノ酸配列を有するKHS2キナーゼポリペプチドをコードしている核酸分子を含む、組換え細胞。
【請求項１１７】  配列番号:18に示されたアミノ酸配列を有する、単離、濃縮、または精製されたKHS2キナーゼポリペプチド。
【請求項１１８】  配列番号:18のアミノ酸セグメント274-346、347-534もしくは535-894により定義される1つまたは複数のドメインを欠くこと以外は配列番号:18に示されたアミノ酸配列を有し、かつキナーゼ活性を有する、単離、濃縮、または精製されたKHS2キナーゼポリペプチド。
【請求項１１９】  哺乳類から単離、濃縮、または精製された、請求項117または118記載のキナーゼポリペプチド分子。
【請求項１２０】  哺乳類が、ヒトである、請求項119記載のキナーゼポリペプチド分子。
【請求項１２１】  配列番号:18に示された完全なアミノ酸配列を有するか、または配列番号:18のアミノ酸セグメント274-346、347-534もしくは535-894により定義される1つまたは複数のドメインを欠くこと以外は配列番号:18に示されたアミノ酸配列を有する、KHS2キナーゼポリペプチドに対する特異的結合親和性を有する、抗体または抗体断片。
【請求項１２２】  配列番号:18に示された完全なアミノ酸配列を有するか、または配列番号:18のアミノ酸セグメント274-346、347-534もしくは535-894により定義される1つまたは複数のドメインを欠くこと以外は配列番号:18に示されたアミノ酸配列を有する、KHS2キナーゼポリペプチドに対する特異的結合親和性を有する抗体を作成する、ハイブリドーマ。
【請求項１２３】  以下の工程を含む、キナーゼ活性を調節する物質を同定する方法：
(a)配列番号:18に示された完全なアミノ酸配列、または配列番号:18のアミノ酸セグメント274-346、347-534もしくは535-894により定義される1つまたは複数のドメインを欠くこと以外は配列番号:18に示されたアミノ酸配列を有するKHS2キナーゼポリペプチドを、被験物質と接触させる工程；
(b)該ポリペプチドの活性を測定する工程；および
(c)該物質が、該ポリペプチドの活性を調節するかどうかを決定する工程。
【請求項１２４】  以下の工程を含む、キナーゼ活性を調節する物質を同定する方法：
(a)配列番号:18に示された完全なアミノ酸配列、または配列番号:18のアミノ酸セグメント274-346、347-534もしくは535-894により定義される1つまたは複数のドメインを欠くこと以外は配列番号:18に示されたアミノ酸配列を有するKHS2キナーゼポリペプチドを発現する工程；
(b)被験物質を細胞に添加する工程；および
(c)細胞表現型の変化または該ポリペプチドと天然の結合パートナー間の相互作用をモニタリングする工程。
【請求項１２５】  以下の工程を含む、疾患または障害の診断ツールとして試料中のKHS2キナーゼポリペプチドを検出する方法：
(a)該試料を、50％ホルムアミド、5X SSC、50mM NaH2PO4、pH6.8、0.5％SDS、0.1mg/ml音波処理したサケ精子DNAおよび5Xデンハルト溶液中、42℃におけるハイブリダイゼーションと少なくとも同じストリンジェンシーでのハイブリダイゼーション；2X SSC、0.1％SDSによる45℃での一晩洗浄；ならびに、0.2X SSC、0.1％SDSによる45℃での洗浄という条件下で、KHS2キナーゼ核酸標的領域に特異的にハイブリダイズする核酸プローブと接触させる工程であり、
この標的領域は、配列番号:18に示された完全なアミノ酸配列をコードしているかもしくはそれらの全ヌクレオチドの相補体であるか、または配列番号:18のアミノ酸セグメント274-346、347-534もしくは535-894により定義される1つまたは複数のドメインを欠くこと以外は配列番号:18に示されたアミノ酸配列を含むキナーゼ活性を有するポリペプチドをコードしているかもしくはそれらの全ヌクレオチドの相補体である、工程；ならびに
(b)該疾患の指標として、プローブ:標的領域のハイブリッドの存在を検出する工程。
【請求項１２６】  疾患または障害が、免疫関連疾患および障害、臓器移植、心筋梗塞、心血管疾患、卒中、腎不全、酸化的ストレス関連神経変性障害、および癌からなる群より選択される、請求項125記載の方法。
【請求項１２７】  以下の工程を含む、疾患または障害の診断ツールとして試料中のKHS2キナーゼポリペプチドを検出する方法：
(a)試料中の該KHS2キナーゼポリペプチドをコードしている核酸標的領域を、該KHS2キナーゼポリペプチドをコードしている対照核酸標的領域と比較する工程であり、該KHS2キナーゼポリペプチドは、配列番号:18に示されたアミノ酸配列、または配列番号:18のアミノ酸セグメント274-346、347-534もしくは535-894により定義される1つまたは複数のドメインを欠くこと以外は配列番号:18に示されたアミノ酸配列を有する、工程：および
(b)該疾患または障害の指標として、該標的領域と該対照標的領域の間の配列または量の差異を検出する工程。
【請求項１２８】  疾患または障害が、免疫関連疾患および障害、臓器移植、心筋梗塞、心血管疾患、卒中、腎不全、酸化的ストレス関連神経変性障害、および癌からなる群より選択される、請求項127記載の方法。
【請求項１２９】  配列番号:18に示されたアミノ酸配列、または配列番号:18のアミノ酸セグメント274-346、347-534もしくは535-894により定義される1つまたは複数のドメインを欠くこと以外は配列番号:18に示されたアミノ酸の配列を有する、KHS2キナーゼの活性を調節する物質を、そのような治療が必要な患者へ投与することによる、疾患または障害を治療する方法。
【請求項１３０】  疾患または障害が、免疫関連疾患および障害、臓器移植、心筋梗塞、心血管疾患、卒中、腎不全、酸化的ストレス関連神経変性障害、および癌からなる群より選択される、請求項129記載の方法。
【請求項１３１】  物質がインビトロでキナーゼ活性を調節する、請求項129または130記載の方法。
【請求項１３２】  物質がキナーゼ阻害剤である、請求項131記載の方法。
【請求項１３３】  SULU1キナーゼポリペプチドをコードしている単離、濃縮、または精製された核酸分子であり、以下のようなヌクレオチド配列を含む、核酸分子：
(a)配列番号:22に示された完全なアミノ酸配列をコードし；
(b)(a)のヌクレオチド配列の全ての相補体であり； 
(c)キナーゼ活性を有する、配列番号:22に示されたアミノ酸配列の少なくとも200個の連続するアミノ酸をコードし；
(d)(c)のヌクレオチド配列の全ての相補体であり；
(e)配列番号:22のアミノ酸セグメント1-21、278-427、428-637、638-751もしくは752-898により定義される1つまたは複数のドメインを欠くこと以外は、配列番号:22に示されたアミノ酸配列を含むキナーゼ活性を有するポリペプチドをコードし；
(f)(e)のヌクレオチド配列の全ての相補体である。
【請求項１３４】  哺乳類から単離、濃縮、または精製された、請求項133記載の核酸分子。
【請求項１３５】  哺乳類がヒトである、請求項134記載の核酸分子。
【請求項１３６】  宿主細胞において転写を開始するために有効なベクターまたはプロモーターをさらに含む、請求項133〜135のいずれか一項記載の核酸分子。
【請求項１３７】  試料中のSULU1キナーゼポリペプチドをコードしている核酸を検出するための核酸プローブであり、該プローブが、配列番号:22に示された完全なアミノ酸配列をコードしているか、またはキナーゼ活性を有する配列番号:22に示されたアミノ酸配列の少なくとも200個の連続するアミノ酸をコードしている核酸分子へ特異的にハイブリダイズする、核酸プローブ。
【請求項１３８】  配列番号:22に示された完全なアミノ酸配列を有するSULU1キナーゼポリペプチドをコードしているか、またはキナーゼ活性を有する配列番号:22に示されたアミノ酸配列の少なくとも200個の連続するアミノ酸をコードしている核酸分子を含む、組換え細胞。
【請求項１３９】  配列番号:22に示されたアミノ酸配列、もしくはキナーゼ活性を有する配列番号:22に示された少なくとも200個の連続するアミノ酸を含むそれらの断片を有する、単離、濃縮、または精製されたSULU1キナーゼポリペプチド。
【請求項１４０】  配列番号:22のアミノ酸セグメント1-21、278-427、428-637、638-751もしくは752-898により定義される1つまたは複数のドメインを欠くこと以外は配列番号:22に示されたアミノ酸配列を有し、かつキナーゼ活性を有する、単離、濃縮、または精製されたSULU1キナーゼポリペプチド。
【請求項１４１】  哺乳類から単離、濃縮、または精製された、請求項139または140記載のキナーゼポリペプチド分子。
【請求項１４２】  哺乳類が、ヒトである、請求項141記載のキナーゼポリペプチド分子。
【請求項１４３】  配列番号:22に示された完全なアミノ酸配列を有するSUKU1キナーゼポリペプチド、またはキナーゼ活性を有する配列番号:22の少なくとも200個の連続するアミノを含むか、もしくは配列番号:22のアミノ酸セグメント1-21、278-427、428-637、638-751もしくは752-898により定義される1つまたは複数のドメインを欠くこと以外は配列番号:22に示されたアミノ酸配列を有するそれらの断片に対する特異的結合親和性を有する、抗体または抗体断片。
【請求項１４４】  配列番号:22に示された完全なアミノ酸配列を有するSULU1キナーゼポリペプチド、またはキナーゼ活性を有する配列番号:22の少なくとも200個の連続するアミノ酸を含むか、もしくは配列番号:22のアミノ酸セグメント1-21、278-427、428-637、638-751もしくは752-898により定義される1つまたは複数のドメインを欠くこと以外は配列番号:22に示されたアミノ酸配列を有するそれらの断片に対する特異的結合親和性を有する抗体を作成する、ハイブリドーマ。
【請求項１４５】  以下の工程を含む、キナーゼ活性を調節する物質を同定する方法：
(a)配列番号:22に示された完全なアミノ酸配列を有するSULU1キナーゼポリペプチド、またはキナーゼ活性を有する配列番号:22の少なくとも200個の連続するアミノ酸を含むか、もしくは配列番号:22のアミノ酸セグメント1-21、278-427、428-637、638-751もしくは752-898により定義される1つまたは複数のドメインを欠くこと以外は配列番号:22に示されたアミノ酸配列を有するそれらの断片を、被験物質と接触させる工程；
(b)該ポリペプチドの活性を測定する工程；および
(c)該物質が、該ポリペプチドの活性を調節するかどうかを決定する工程。
【請求項１４６】  以下の工程を含む、キナーゼ活性を調節する物質を同定する方法：
(a)配列番号:22に示された完全なアミノ酸配列を有するSULU1キナーゼポリペプチド、またはキナーゼ活性を有する配列番号:22の少なくとも200個の連続するアミノ酸を含むか、もしくは配列番号:22のアミノ酸セグメント1-21、278-427、428-637、638-751もしくは752-898により定義される1つまたは複数のドメインを欠くこと以外は配列番号:22に示されたアミノ酸配列を有するそれらの断片を発現する工程；
(b)被験物質を細胞に添加する工程；および
(c)細胞表現型の変化または該ポリペプチドと天然の結合パートナー間の相互作用をモニタリングする工程。
【請求項１４７】  以下の工程を含む、疾患または障害の診断ツールとして試料中のSULU1キナーゼポリペプチドを検出する方法：
(a)該試料を、50％ホルムアミド、5X SSC、50mM NaH2PO4、pH6.8、0.5％SDS、0.1mg/ml音波処理したサケ精子DNAおよび5Xデンハルト溶液中、42℃におけるハイブリダイゼーションと少なくとも同じストリンジェンシーでのハイブリダイゼーション；2X SSC、0.1％SDSによる45℃での一晩洗浄；ならびに、0.2X SSC、0.1％SDSによる45℃での洗浄という条件下で、SULU1キナーゼ核酸標的領域に特異的にハイブリダイズする核酸プローブと接触させる工程であり、
この標的領域は、配列番号:22に示された完全なアミノ酸配列をコードしているかもしくはそれらの全ヌクレオチドの相補体であるか、キナーゼ活性を有する配列番号:22に示されたアミノ酸配列の少なくとも200個の連続するアミノ酸をコードしているかもしくはそれらの全ヌクレオチドの相補体であるか、または配列番号:22のアミノ酸セグメント1-21、278-427、428-637、638-751もしくは752-898により定義される1つまたは複数のドメインを欠くこと以外は配列番号:22に示されたアミノ酸配列を含むキナーゼ活性を有するポリペプチドをコードしているかもしくはそれらの全ヌクレオチドの相補体である、工程；ならびに
(b)該疾患の指標として、プローブ:標的領域のハイブリッドの存在を検出する工程。
【請求項１４８】  疾患または障害が、免疫関連疾患および障害、臓器移植、心筋梗塞、心血管疾患、卒中、腎不全、酸化的ストレス関連神経変性障害、および癌からなる群より選択される、請求項147記載の方法。
【請求項１４９】  以下の工程を含む、疾患または障害の診断ツールとして試料中のSULU1キナーゼポリペプチドを検出する方法：
(a)試料中の該SULU1キナーゼポリペプチドをコードしている核酸標的領域を、該SULU1キナーゼポリペプチドをコードしている対照核酸標的領域と比較する工程であり、該キナーゼポリペプチドは、配列番号:22に示されたアミノ酸配列、キナーゼ活性を有するそれらの少なくとも200個の連続するアミノ酸、または配列番号:22のアミノ酸セグメント1-21、278-427、428-637、638-751もしくは752-898により定義される1つまたは複数のドメインを欠くこと以外は配列番号:22に示されたアミノ酸配列を有する、工程：および
(b)該疾患または障害の指標として、該標的領域と該対照標的領域の間の配列または量の差異を検出する工程。
【請求項１５０】  疾患または障害が、免疫関連疾患および障害、臓器移植、心筋梗塞、心血管疾患、卒中、腎不全、酸化的ストレス関連神経変性障害、および癌からなる群より選択される、請求項149記載の方法。
【請求項１５１】  配列番号:22に示されたアミノ酸配列、キナーゼ活性を有する配列番号:22の少なくとも25個の連続するアミノ酸、または配列番号:22のアミノ酸セグメント1-21、278-427、428-637、638-751もしくは752-898により定義される1つまたは複数のドメインを欠くこと以外は配列番号:22に示されたアミノ酸の配列を有する、SULU1キナーゼの活性を調節する物質を、そのような治療が必要な患者へ投与することによる、疾患または障害を治療する方法。
【請求項１５２】  疾患または障害が、免疫関連疾患および障害、臓器移植、心筋梗塞、心血管疾患、卒中、腎不全、酸化的ストレス関連神経変性障害、および癌からなる群より選択される、請求項151記載の方法。
【請求項１５３】  物質がインビトロでキナーゼ活性を調節する、請求項151または152記載の方法。
【請求項１５４】  物質がキナーゼ阻害剤である、請求項153記載の方法。
【請求項１５５】  GEK2キナーゼポリペプチドをコードしている単離、濃縮、または精製された核酸分子であり、以下のようなヌクレオチド配列を含む、核酸分子：
(a)配列番号:107に示された完全なアミノ酸配列をコードし；
(b)(a)のヌクレオチド配列の全ての相補体である。
【請求項１５６】  哺乳類から単離、濃縮、または精製された、請求項155記載の核酸分子。
【請求項１５７】  哺乳類がヒトである、請求項156記載の核酸分子。
【請求項１５８】  宿主細胞において転写を開始するために有効なベクターまたはプロモーターをさらに含む、請求項155〜157のいずれか一項記載の核酸分子。
【請求項１５９】  試料中のGEK2キナーゼポリペプチドをコードしている核酸を検出するための核酸プローブであり、該プローブが、配列番号:107に示された完全なアミノ酸配列をコードしている核酸分子へ特異的にハイブリダイズする、核酸プローブ。
【請求項１６０】  配列番号:107に示された完全なアミノ酸配列を有するGEK2キナーゼポリペプチドをコードしている核酸分子を含む、組換え細胞。
【請求項１６１】  配列番号:107に示されたアミノ酸配列を有する、単離、濃縮、または精製されたGEK2キナーゼポリペプチド。
【請求項１６２】  哺乳類から単離、濃縮、または精製された、請求項161記載のキナーゼポリペプチド分子。
【請求項１６３】  哺乳類が、ヒトである、請求項162記載のキナーゼポリペプチド分子。
【請求項１６４】  配列番号:107に示された完全なアミノ酸配列を有するGEK2キナーゼポリペプチドに対する特異的結合親和性を有する、抗体または抗体断片。
【請求項１６５】  配列番号:107に示された完全なアミノ酸配列を有するGEK2キナーゼポリペプチドに対する特異的結合親和性を有する抗体を作成する、ハイブリドーマ。
【請求項１６６】  以下の工程を含む、キナーゼ活性を調節する物質を同定する方法：
(a)配列番号:107に示された完全なアミノ酸配列を有するGEK2キナーゼポリペプチドを、被験物質と接触させる工程；
(b)該ポリペプチドの活性を測定する工程；および
(c)該物質が、該ポリペプチドの活性を調節するかどうかを決定する工程。
【請求項１６７】  以下の工程を含む、キナーゼ活性を調節する物質を同定する方法：
(a)配列番号:107に示された完全なアミノ酸配列を有するGEK2キナーゼポリペプチドを発現する工程；
(b)被験物質を細胞に添加する工程；および
(c)細胞表現型の変化または該ポリペプチドと天然の結合パートナー間の相互作用をモニタリングする工程。
【請求項１６８】  以下の工程を含む、疾患または障害の診断ツールとして試料中のGEK2キナーゼポリペプチドを検出する方法：
(a)該試料を、50％ホルムアミド、5X SSC、50mM NaH2PO4、pH6.8、0.5％SDS、0.1mg/ml音波処理したサケ精子DNAおよび5Xデンハルト溶液中、42℃におけるハイブリダイゼーションと少なくとも同じストリンジェンシーでのハイブリダイゼーション；2X SSC、0.1％SDSによる45℃での一晩洗浄；ならびに、0.2X SSC、0.1％SDSによる45℃での洗浄という条件下で、GEK2キナーゼ核酸標的領域に特異的にハイブリダイズする核酸プローブと接触させる工程であり、
この標的領域は、配列番号:107に示された完全なアミノ酸配列をコードしているかもしくはそれらの全ヌクレオチドの相補体である、工程；ならびに
(b)該疾患の指標として、プローブ:標的領域のハイブリッドの存在を検出する工程。
【請求項１６９】  疾患または障害が、免疫関連疾患および障害、臓器移植、心筋梗塞、心血管疾患、卒中、腎不全、酸化的ストレス関連神経変性障害、および癌からなる群より選択される、請求項168記載の方法。
【請求項１７０】  以下の工程を含む、疾患または障害の診断ツールとして試料中のGEK2キナーゼポリペプチドを検出する方法：
(a)試料中の該GEK2キナーゼポリペプチドをコードしている核酸標的領域を、該GEK2キナーゼポリペプチドをコードしている対照核酸標的領域と比較する工程であり、該キナーゼポリペプチドは、配列番号:107に示されたアミノ酸配列を有する、工程：および
(b)該疾患または障害の指標として、該標的領域と該対照標的領域の間の配列または量の差異を検出する工程。
【請求項１７１】  疾患または障害が、免疫関連疾患および障害、臓器移植、心筋梗塞、心血管疾患、卒中、腎不全、酸化的ストレス関連神経変性障害、および癌からなる群より選択される、請求項170記載の方法。
【請求項１７２】  配列番号:107に示されたアミノ酸配列を有するGEK2キナーゼの活性を調節する物質を、そのような治療が必要な患者へ投与することによる、疾患または障害を治療する方法。
【請求項１７３】  疾患または障害が、免疫関連疾患および障害、臓器移植、心筋梗塞、心血管疾患、卒中、腎不全、酸化的ストレス関連神経変性障害、および癌からなる群より選択される、請求項172記載の方法。
【請求項１７４】  物質がインビトロでキナーゼ活性を調節する、請求項172または173記載の方法。
【請求項１７５】  物質がキナーゼ阻害剤である、請求項174記載の方法。
【請求項１７６】  PAK4キナーゼポリペプチドをコードしている単離、濃縮、または精製された核酸分子であり、以下のようなヌクレオチド配列を含む、核酸分子：
(a)配列番号:29に示された完全なアミノ酸配列をコードし；
(b)(a)のヌクレオチド配列の全ての相補体であり； 
(c)キナーゼ活性を有する、配列番号:29に示されたアミノ酸配列の少なくとも200個の連続するアミノ酸をコードし；
(d)(c)のヌクレオチド配列の全ての相補体であり；
(e)配列番号:29のアミノ酸セグメント1-51、52-224、225-393もしくは659-681により定義される1つまたは複数のドメインを欠くこと以外は、配列番号:29に示されたアミノ酸配列を含むキナーゼ活性を有するポリペプチドをコードし；
(f)(e)のヌクレオチド配列の全ての相補体である。
【請求項１７７】  哺乳類から単離、濃縮、または精製された、請求項176記載の核酸分子。
【請求項１７８】  哺乳類がヒトである、請求項177記載の核酸分子。
【請求項１７９】  宿主細胞において転写を開始するために有効なベクターまたはプロモーターをさらに含む、請求項176〜178のいずれか一項記載の核酸分子。
【請求項１８０】  試料中のPAK4キナーゼポリペプチドをコードしている核酸を検出するための核酸プローブであり、該プローブが、配列番号:29に示された完全なアミノ酸配列をコードしているか、またはキナーゼ活性を有する配列番号:29に示されたアミノ酸配列の少なくとも200個の連続するアミノ酸をコードしている核酸分子へ特異的にハイブリダイズする、核酸プローブ。
【請求項１８１】  配列番号:29に示された完全なアミノ酸配列を有するPAK4キナーゼポリペプチドをコードしているか、またはキナーゼ活性を有する配列番号:29に示されたアミノ酸配列の少なくとも200個の連続するアミノ酸をコードしている核酸分子を含む、組換え細胞。
【請求項１８２】  配列番号:29に示されたアミノ酸配列、もしくはキナーゼ活性を有する配列番号:29に示された少なくとも200個の連続するアミノ酸を含むそれらの断片を有する、単離、濃縮、または精製されたPAK4キナーゼポリペプチド。
【請求項１８３】  配列番号:29のアミノ酸セグメント1-51、52-224、225-393もしくは659-681により定義される1つまたは複数のドメインを欠くこと以外は配列番号:29に示されたアミノ酸配列を有し、かつキナーゼ活性を有する、単離、濃縮、または精製されたPAK4キナーゼポリペプチド。
【請求項１８４】  哺乳類から単離、精製、または濃縮された、請求項182または183記載のキナーゼポリペプチド分子。
【請求項１８５】  哺乳類がヒトである、請求項184記載のキナーゼポリペプチド分子。
【請求項１８６】  配列番号:29に示された完全なアミノ酸配列を有するPAK4キナーゼポリペプチド、またはキナーゼ活性を有する配列番号:29の少なくとも200個の連続するアミノを含むか、もしくは配列番号:29のアミノ酸セグメント1-51、52-224、225-393もしくは659-681により定義される1つまたは複数のドメインを欠くこと以外は配列番号:29に示されたアミノ酸配列を有するそれらの断片に対する特異的結合親和性を有する、抗体または抗体断片。
【請求項１８７】  配列番号:29に示された完全なアミノ酸配列を有するPAK4キナーゼポリペプチド、またはキナーゼ活性を有する配列番号:29の少なくとも200個の連続するアミノ酸を含むか、もしくは配列番号:29のアミノ酸セグメント1-51、52-224、225-393もしくは659-681により定義される1つまたは複数のドメインを欠くこと以外は配列番号:29に示されたアミノ酸配列を有するそれらの断片に対する特異的結合親和性を有する抗体を作成する、ハイブリドーマ。
【請求項１８８】  以下の工程を含む、キナーゼ活性を調節する物質を同定する方法：
(a)配列番号:29に示された完全なアミノ酸配列を有するPAK4キナーゼポリペプチド、またはキナーゼ活性を有する配列番号:29の少なくとも200個の連続するアミノ酸を含むか、もしくは配列番号:29のアミノ酸セグメント1-51、52-224、225-393もしくは659-681により定義される1つまたは複数のドメインを欠くこと以外は配列番号:29に示されたアミノ酸配列を有するそれらの断片を、被験物質と接触させる工程；
(b)該ポリペプチドの活性を測定する工程；および
(c)該物質が、該ポリペプチドの活性を調節するかどうかを決定する工程。
【請求項１８９】  以下の工程を含む、キナーゼ活性を調節する物質を同定する方法：
(a)配列番号:29に示された完全なアミノ酸配列を有するPAK4キナーゼポリペプチド、またはキナーゼ活性を有する配列番号:29の少なくとも200個の連続するアミノ酸を含むか、もしくは配列番号:29のアミノ酸セグメント1-51、52-224、225-393もしくは659-681により定義される1つまたは複数のドメインを欠くこと以外は配列番号:29に示されたアミノ酸配列を有するそれらの断片を発現する工程；
(b)被験物質を細胞に添加する工程；および
(c)細胞表現型の変化または該ポリペプチドと天然の結合パートナー間の相互作用をモニタリングする工程。
【請求項１９０】  以下の工程を含む、疾患または障害の診断ツールとして試料中のPAK4キナーゼポリペプチドを検出する方法：
(a)該試料を、50％ホルムアミド、5X SSC、50mM NaH2PO4、pH6.8、0.5％SDS、0.1mg/ml音波処理したサケ精子DNAおよび5Xデンハルト溶液中、42℃におけるハイブリダイゼーションと少なくとも同じストリンジェンシーでのハイブリダイゼーション；2X SSC、0.1％SDSによる45℃での一晩洗浄；ならびに、0.2X SSC、0.1％SDSによる45℃での洗浄という条件下で、PAK4キナーゼ核酸標的領域に特異的にハイブリダイズする核酸プローブと接触させる工程であり、
この標的領域は、配列番号:29に示された完全なアミノ酸配列をコードしているかもしくはそれらの全ヌクレオチドの相補体であるか、キナーゼ活性を有する配列番号:29に示されたアミノ酸配列の少なくとも200個の連続するアミノ酸をコードしているかもしくはそれらの全ヌクレオチドの相補体であるか、または配列番号:29のアミノ酸セグメント1-51、52-224、225-393もしくは659-681により定義される1つまたは複数のドメインを欠くこと以外は配列番号:29に示されたアミノ酸配列を含むキナーゼ活性を有するポリペプチドをコードしているかもしくはそれらの全ヌクレオチドの相補体である、工程；ならびに
(b)該疾患の指標として、プローブ:標的領域のハイブリッドの存在を検出する工程。
【請求項１９１】  疾患または障害が、免疫関連疾患および障害、臓器移植、心筋梗塞、心血管疾患、卒中、腎不全、酸化的ストレス関連神経変性障害、および癌からなる群より選択される、請求項190記載の方法。
【請求項１９２】  以下の工程を含む、疾患または障害の診断ツールとして試料中のPAK4キナーゼポリペプチドを検出する方法：
(a)試料中の該PAK4キナーゼポリペプチドをコードしている核酸標的領域を、該PAK4キナーゼポリペプチドをコードしている対照核酸標的領域と比較する工程であり、該キナーゼポリペプチドは、配列番号:29に示されたアミノ酸配列、キナーゼ活性を有するそれらの少なくとも200個の連続するアミノ酸、または配列番号:29のアミノ酸セグメント1-51、52-224、225-393もしくは659-681により定義される1つまたは複数のドメインを欠くこと以外は配列番号:29に示されたアミノ酸配列を有する、工程：および
(b)該疾患または障害の指標として、該標的領域と該対照標的領域の間の配列または量の差異を検出する工程。
【請求項１９３】  疾患または障害が、免疫関連疾患および障害、臓器移植、心筋梗塞、心血管疾患、卒中、腎不全、酸化的ストレス関連神経変性障害、および癌からなる群より選択される、請求項192記載の方法。
【請求項１９４】  配列番号:29に示されたアミノ酸配列、キナーゼ活性を有するそれらの少なくとも25個の連続するアミノ酸、または配列番号:29のアミノ酸セグメント1-51、52-224、225-393もしくは659-681により定義される1つまたは複数のドメインを欠くこと以外は配列番号:29に示されたアミノ酸の配列を有する、PAK4キナーゼの活性を調節する物質を、そのような治療が必要な患者へ投与することによる、疾患または障害を治療する方法。
【請求項１９５】  疾患または障害が、免疫関連疾患および障害、臓器移植、心筋梗塞、心血管疾患、卒中、腎不全、酸化的ストレス関連神経変性障害、および癌からなる群より選択される、請求項194記載の方法。
【請求項１９６】  物質がインビトロでキナーゼ活性を調節する、請求項194または195記載の方法。
【請求項１９７】  物質がキナーゼ阻害剤である、請求項196記載の方法。
【請求項１９８】  PAK5キナーゼポリペプチドをコードしている単離、濃縮、または精製された核酸分子であり、以下のようなヌクレオチド配列を含む、核酸分子：
(a)配列番号:103に示された完全なアミノ酸配列をコードし；
(b)(a)のヌクレオチド配列の全ての相補体であり； 
(c)キナーゼ活性を有する、配列番号:103に示されたアミノ酸配列の少なくとも200個の連続するアミノ酸をコードし；
(d)(c)のヌクレオチド配列の全ての相補体であり；
(e)配列番号:103のアミノ酸セグメント1-52、53-173、174-307もしくは573-591により定義される1つまたは複数のドメインを欠くこと以外は、配列番号:103に示されたアミノ酸配列を含むキナーゼ活性を有するポリペプチドをコードし；
(f)(e)のヌクレオチド配列の全ての相補体である。
【請求項１９９】  哺乳類から単離、濃縮、または精製された、請求項198記載の核酸分子。
【請求項２００】  哺乳類がヒトである、請求項199記載の核酸分子。
【請求項２０１】  宿主細胞において転写を開始するために有効なベクターまたはプロモーターをさらに含む、請求項198〜200のいずれか一項記載の核酸分子。
【請求項２０２】  試料中のPAK5キナーゼポリペプチドをコードしている核酸を検出するための核酸プローブであり、該プローブが、配列番号:103に示された完全なアミノ酸配列をコードしているか、またはキナーゼ活性を有する配列番号:103に示されたアミノ酸配列の少なくとも200個の連続するアミノ酸をコードしている核酸分子へ特異的にハイブリダイズする、核酸プローブ。
【請求項２０３】  配列番号:103に示された完全なアミノ酸配列を有するPAK5キナーゼポリペプチドをコードしているか、またはキナーゼ活性を有する配列番号:103に示されたアミノ酸配列の少なくとも200個の連続するアミノ酸をコードしている核酸分子を含む、組換え細胞。
【請求項２０４】  配列番号:103に示されたアミノ酸配列、もしくはキナーゼ活性を有する配列番号:103に示された少なくとも200個の連続するアミノ酸を含むそれらの断片を有する、単離、濃縮、または精製されたPAK5キナーゼポリペプチド。
【請求項２０５】  配列番号:103のアミノ酸セグメント1-52、53-173、174-307もしくは573-591により定義される1つまたは複数のドメインを欠くこと以外は配列番号:103に示されたアミノ酸配列を有し、かつキナーゼ活性を有する、単離、濃縮、または精製されたPAK5キナーゼポリペプチド。
【請求項２０６】  哺乳類から単離、濃縮、または精製された、請求項204または205記載のキナーゼポリペプチド分子。
【請求項２０７】  哺乳類が、ヒトである、請求項206記載のキナーゼポリペプチド分子。
【請求項２０８】  配列番号:103に示された完全なアミノ酸配列を有するPAK5キナーゼポリペプチド、またはキナーゼ活性を有する配列番号:103の少なくとも200個の連続するアミノを含むか、もしくは配列番号:103のアミノ酸セグメント1-52、53-173、174-307もしくは573-591により定義される1つまたは複数のドメインを欠くこと以外は配列番号:103に示されたアミノ酸配列を有するそれらの断片に対する特異的結合親和性を有する、抗体または抗体断片。
【請求項２０９】  配列番号:103に示された完全なアミノ酸配列を有するPAK5キナーゼポリペプチド、またはキナーゼ活性を有する配列番号:103の少なくとも200個の連続するアミノ酸を含むか、もしくは配列番号:103のアミノ酸セグメント1-52、53-173、174-307もしくは573-591により定義される1つまたは複数のドメインを欠くこと以外は配列番号:103に示されたアミノ酸配列を有するそれらの断片に対する特異的結合親和性を有する抗体を作成する、ハイブリドーマ。
【請求項２１０】  以下の工程を含む、キナーゼ活性を調節する物質を同定する方法：
(a)配列番号:103に示された完全なアミノ酸配列を有するPAK5キナーゼポリペプチド、またはキナーゼ活性を有する配列番号:103の少なくとも200個の連続するアミノ酸を含むか、もしくは配列番号:103のアミノ酸セグメント1-52、53-173、174-307もしくは573-591により定義される1つまたは複数のドメインを欠くこと以外は配列番号:103に示されたアミノ酸配列を有するそれらの断片を、被験物質と接触させる工程；
(b)該ポリペプチドの活性を測定する工程；および
(c)該物質が、該ポリペプチドの活性を調節するかどうかを決定する工程。
【請求項２１１】  以下の工程を含む、キナーゼ活性を調節する物質を同定する方法：
(a)配列番号:103に示された完全なアミノ酸配列を有するPAK5キナーゼポリペプチド、またはキナーゼ活性を有する配列番号:103の少なくとも200個の連続するアミノ酸を含むか、もしくは配列番号:103のアミノ酸セグメント1-52、53-173、174-307もしくは573-591により定義される1つまたは複数のドメインを欠くこと以外は配列番号:103に示されたアミノ酸配列を有するそれらの断片を発現する工程；
(b)被験物質を細胞に添加する工程；および
(c)細胞表現型の変化または該ポリペプチドと天然の結合パートナー間の相互作用をモニタリングする工程。
【請求項２１２】  以下の工程を含む、疾患または障害の診断ツールとして試料中のPAK5キナーゼポリペプチドを検出する方法：
(a)該試料を、50％ホルムアミド、5X SSC、50mM NaH2PO4、pH6.8、0.5％SDS、0.1mg/ml音波処理したサケ精子DNAおよび5Xデンハルト溶液中、42℃におけるハイブリダイゼーションと少なくとも同じストリンジェンシーでのハイブリダイゼーション；2X SSC、0.1％SDSによる45℃での一晩洗浄；ならびに、0.2X SSC、0.1％SDSによる45℃での洗浄という条件下で、PAK5キナーゼ核酸標的領域に特異的にハイブリダイズする核酸プローブと接触させる工程であり、
この標的領域は、配列番号:103に示された完全なアミノ酸配列をコードしているかもしくはそれらの全ヌクレオチドの相補体であるか、キナーゼ活性を有する配列番号:103に示されたアミノ酸配列の少なくとも200個の連続するアミノ酸をコードしているかもしくはそれらの全ヌクレオチドの相補体であるか、または配列番号:103のアミノ酸セグメント1-52、53-173、174-307もしくは573-591により定義される1つまたは複数のドメインを欠くこと以外は配列番号:103に示されたアミノ酸配列を含むキナーゼ活性を有するポリペプチドをコードしているかもしくはそれらの全ヌクレオチドの相補体である、工程；ならびに
(b)該疾患の指標として、プローブ:標的領域のハイブリッドの存在を検出する工程。
【請求項２１３】  疾患または障害が、免疫関連疾患および障害、臓器移植、心筋梗塞、心血管疾患、卒中、腎不全、酸化的ストレス関連神経変性障害、および癌からなる群より選択される、請求項212記載の方法。
【請求項２１４】  以下の工程を含む、疾患または障害の診断ツールとして試料中のPAK5キナーゼポリペプチドを検出する方法：
(a)試料中の該PAK5キナーゼポリペプチドをコードしている核酸標的領域を、該PAK5キナーゼポリペプチドをコードしている対照核酸標的領域と比較する工程であり、該キナーゼポリペプチドは、配列番号:103に示されたアミノ酸配列、キナーゼ活性を有するそれらの少なくとも200個の連続するアミノ酸、または配列番号:103のアミノ酸セグメント1-52、53-173、174-307もしくは573-591により定義される1つまたは複数のドメインを欠くこと以外は配列番号:103に示されたアミノ酸配列を有する、工程：および
(b)該疾患または障害の指標として、該標的領域と該対照標的領域の間の配列または量の差異を検出する工程。
【請求項２１５】  疾患または障害が、免疫関連疾患および障害、臓器移植、心筋梗塞、心血管疾患、卒中、腎不全、酸化的ストレス関連神経変性障害、および癌からなる群より選択される、請求項214記載の方法。
【請求項２１６】  配列番号:103に示されたアミノ酸配列、キナーゼ活性を有するそれらの少なくとも25個の連続するアミノ酸、または配列番号:103のアミノ酸セグメント1-52、53-173、174-307もしくは573-591により定義される1つまたは複数のドメインを欠くこと以外は配列番号:103に示されたアミノ酸の配列を有する、PAK5キナーゼの活性を調節する物質を、そのような治療が必要な患者へ投与することによる、疾患または障害を治療する方法。
【請求項２１７】  疾患または障害が、免疫関連疾患および障害、臓器移植、心筋梗塞、心血管疾患、卒中、腎不全、酸化的ストレス関連神経変性障害、および癌からなる群より選択される、請求項216記載の方法。
【請求項２１８】  物質がインビトロでキナーゼ活性を調節する、請求項216または217記載の方法。
【請求項２１９】  物質がキナーゼ阻害剤である、請求項218記載の方法。